(57)【要約】【課題】  画像表示装置において、寿命を長持ちさせると共に、自動再生中に突然表示が消えるようなことをなくす。【解決手段】  記録媒体に記録された画像を画像表示手段へ出力する出力手段と、利用者によって操作される操作手段と、該操作手段の操作にしたがって画像を順次再生する自動再生手段と、前記操作手段の操作が所定期間行われていないか否かを判別する操作状態判別手段と、前記操作が所定期間行われていないと判別された場合に前記表示装置の駆動を停止する手段とを備えた画像再生装置において、前記画像の自動再生中に前記操作状態判別手段によって操作が所定期間行われていないと判別された場合、前記記録媒体に記録されている画像がすべて再生されていなければ、すべて再生されるのを待って前期表示装置の駆動を停止する。【選択図】  図１
2007110420.tif 000002
【特許請求の範囲】
【請求項１】
記録媒体に記録された画像を画像表示手段へ出力する出力手段と、利用者によって操作される操作手段と、該操作手段の操作にしたがって画像を順次再生する自動再生手段と、前記操作手段の操作が所定期間行われていないか否かを判別する操作状態判別手段と、前記操作が所定期間行われていないと判別された場合に前記表示装置の駆動を停止する手段とを備えた画像再生装置において、前記画像の自動再生中に前記操作状態判別手段によって操作が所定期間行われていないと判別された場合、前記記録媒体に記録されている画像がすべて再生されていなければ、すべて再生されるのを待って前期表示装置の駆動を停止することを特徴とする画像再生装置。
【請求項２】
前記画像の自動再生中に前記表示装置の駆動を停止する場合、前記自動再生を停止することを前記表示装置上に表示して利用者に知らせることを特徴とする請求項１に記載の画像再生装置。
【発明の詳細な説明】
【技術分野】
【０００１】
本発明は、画像再生装置、方法および記憶媒体に関する。
【背景技術】
【０００２】
従来、静止画像を再生する画像再生装置や画像撮像再生装置の中には、一定時間、利用者の操作が加えられない場合、自動的に装置の電源を切ったり、あるいは再生用のモニタの電源だけを切ったりする機能を有するものがあった。
【０００３】
実際に利用者が電源を切るのを忘れて装置を放置してしまった場合、無駄に電力が消費されてしまうことを防止するこの機能は利用者にとって有益な機能であった。また表示器にバックライト付の液晶表示装置を用いた場合、バックライトの寿命を延命させる有益な機能であった。
【０００４】
しかしながら、上記従来の画像再生装置や画像撮像再生装置では、以下に掲げる問題があり、その改善が要望されていた。すなわち、このような画像再生装置や画像撮像再生装置は静止画像の自動再生機能を有しており、自動再生の実行中、利用者は自動再生を一時停止するといった操作、あるいは中止するといった操作以外、装置に対して操作を加えることがなかった。
【０００５】
したがって、自動再生中に一定時間、操作が加えられないことにより、利用者が実際に自動再生された画像を見ているにもかかわらず、突然表示がされなくなってしまうという問題があった。そこで、特開2000-115675で考案されたように自動再生中は電源を遮断しないという提案がなされている。
【特許文献１】特開２０００−１１５６７５号公報
【発明の開示】
【発明が解決しようとする課題】
【０００６】
しかしながら、上記提案では表示装置としてバックライトを使用した液晶表示装置においては、バックライトの寿命が問題になっている。なんとならばバックライトの寿命は液晶表示器の寿命に比べてはるかに短いからである。
【０００７】
また、自動再生を記録媒体に格納されている画像を既定回数再生すれば表示器の駆動を停止する方式がとられている。しかしながら、前記方式では記録媒体に格納されている画像の数が少ない場合では、例えば１枚当たり５秒間表示し３回再生して終了とすれば、格納されている画像が３枚であれば４５秒で自動再生が終了してしまう。また格納されている画像が１０００枚であれば４時間以上自動再生が行われつづけられ、バックライトの寿命が問題になる。
【課題を解決するための手段】
【０００８】
上記目的を達成するために、本発明の請求項１に記載の画像再生装置は、記録媒体に記録された画像を画像表示手段へ出力する出力手段と、利用者によって操作される操作手段と、該操作手段の操作にしたがって画像を順次再生する自動再生手段と、前記操作手段の操作が所定期間行われていないか否かを判別する操作状態判別手段と、前記操作が所定期間行われていないと判別された場合に前記表示装置の駆動を停止する手段とを備えた画像再生装置において、前記画像の自動再生中に前記操作状態判別手段によって操作が所定期間行われていないと判別された場合、前記記録媒体に記録されている画像がすべて再生されていなければ、すべて再生されるのを待って前期表示装置の駆動を停止することを特徴とする。また請求項２に記載の画像再生装置は、前記画像の自動再生中に前記表示装置の駆動を停止する場合、前記自動再生を停止することを前記表示装置上に表示して利用者に知らせることを特徴とする。
【発明の効果】
【０００９】
上記のような構成をとれば、表示装置としてバックライトを使用した液晶表示装置においても所定時間で液晶駆動部の停止を行うことでバックライトの寿命が長持ちするようになり、省電力にもなる。また自動再生を終了する場合に終了メッセージを表示することで自動再生中に突然表示が消えるようなことがなくなった。
【発明を実施するための最良の形態】
【００１０】
次に、本発明について図面を参照して説明する。
【００１１】
図２は、本印刷装置の構成例を示すブロック図である。
【００１２】
２３１はマイクロプロセッサユニット、２３２は、記録装置の制御や後述する本発明のプログラムを格納したＲＯＭ、２３３は、プログラム実行時にワークエリアとして用いられたり、ファイルデータ等を記憶しておくためのＲＡＭである。マイクロプロセッサ２３１は、ペーパエンドセンサ２４０，キャリッジホームセンサ２４３，回復系センサ２３７のセンサで記録用紙の有無，キャリッジの位置，回復系ユニットの状態を確認しながら、搬送モータドライバ２３８，キャリッジモータドライバ２４１，回復系モータドライバ２３７に駆動パルスを与え、搬送モータ２３９，キャリッジモータ２４２，回復系モータ２３６を制御する。不図示のホストコンピュータや携帯電子機器からは印刷するファイルや印刷のための命令や印刷データがインタフェース２3４を介してマイクロプロセッサ２３１に送られる。２５２はメモリーカード制御部でデジタルカメラ等で撮影された画像が記憶された記録媒体（メモリーカード）が接続される。メモリーカード内のデータはマイクロプロセッサ２３１からの指示に従って読み書きができるようにメモリーカード制御部２５２は作られ、画像データはマイクロプロセッサ２３１で所定の処理を行ったのち２５１の液晶駆動部に伝えられ、液晶駆動部に接続されている液晶表示器に表示することも可能である。２５０は操作パネル部でカーソル移動キーや決定キー等があり、前記液晶表示器に表示された画像を見ながら前記キーを操作して印刷設定を行うことが出来る。
【００１３】
２４４は記録ヘッドで、印刷データをプリンタマイコン２３１によって制御され記録する。
【００１４】
図１は本発明における、記録媒体に格納されている画像の自動再生フローチャートで、請求項１、２に記載の自動再生の処理を説明する。
【００１５】
例として画像の自動再生の間隔を５秒、再生する画像の枚数は５０枚、所定期間操作されない場合に液晶駆動回路の停止する時間を５分とする。
【００１６】
まず、ステップ１１で再生する画像５０枚の最初の画像を表示するための変数Ｎの初期化と、再生する５０枚の画像が一通り再生されたかどうかの変数ＦＬＧの初期化と、自動再生を始めてからの経過時間の変数ＴＩＭＥを初期化する。このＴＩＭＥはＯＳによって一秒づつ時間がカウントされるものとする。
【００１７】
そしてステップ１２でＮ枚目の画像を液晶に表示し、ステップ１３でキー操作があったかどうかを判断しキー操作があれば、自動再生処理を終了し不図示の入力されたキー操作にあった処理を行う。キー操作がなければステップ１４へ進み、液晶駆動を停止するかどうかの判断を行うため経過時間が５分すなわち３００秒を経過したかどうかを調べる。そこで５分経過していなければ、ステップ１５で画像の自動再生の時間間隔５秒を待つようにウエイトする。５秒経過したらステップ１６で次の画像を表示するための変数Ｎを更新し、総枚数の５０枚目に達していなければステップ１２に戻り次画像を表示する。また総枚数に達していれば、表示画像を最初に戻すために変数Ｎを初期化し、また記録媒体中のすべての画像を一通り表示したので変数ＬＯＯＰを１更新し、ステップ１２へ戻る。
【００１８】
ステップ１４で液晶駆動を停止するべき５分が経過していれば、ステップ１９に進み記録媒体上に格納されているすべての画像表示が１度終わっているかどうかを変数ＬＯＯＰで判断し終わっていれば、ステップ２０で自動再生を停止する主旨の表示を一定時間行い、ステップ２１で液晶駆動を停止する。ここでの液晶駆動の停止とは液晶ドライバへのクロックの停止や液晶のバックライトの消灯を意味する。本例では画像の総枚数が５０枚で画像表示間隔が５秒なので５０枚を一通り表示するのに２５０秒なので必ずステップ１９ではステップ２０へ進む、しかし記録媒体へ格納されている画像枚数が２００枚であれば、全て表示するのに１５分以上を要するため、ステップ１９ではまだ全ての画像表示を終了していないためステップ１５に進むようになる。
【図面の簡単な説明】
【００１９】
【図１】本発明による印刷装置の構成例を示すブロック図。
【図２】本発明による記録媒体に格納されている画像の自動再生フローチャート。
【図１】
2007110420.tif 000003
【図２】
2007110420.tif 000004